Podtech/llm-jp-corpus-v4-ja_patent huggingface dataset:
【手続補正書】
【提出日】平成27年1月13日(2015.1.13)
【手続補正１】
【補正対象書類名】特許請求の範囲
【補正対象項目名】全文
【補正方法】変更
【補正の内容】
【特許請求の範囲】
【請求項１】
試料腫瘍細胞中のＥＲＢＢ２遺伝子のメチル化状態を検出することを含み、ＥＲＢＢ２遺伝子の低メチル化が、腫瘍細胞増殖がＥＧＦＲキナーゼ阻害剤による阻害に対して感受性であることを示す、ＥＧＦＲキナーゼ阻害剤による阻害に対する腫瘍細胞増殖の感受性を判定する方法。
【請求項２】
患者の癌の試料のＥＲＢＢ２遺伝子のメチル化状態を検出することを含み、ＥＲＢＢ２遺伝子のメチル化状態が低メチル化であると検出された場合に、患者がＥＧＦＲ阻害剤による治療から恩恵を受ける可能性がある者と特定される、ＥＧＦＲ阻害剤による治療から恩恵を受ける可能性がある癌患者を特定する方法。
【請求項３】
細胞におけるＥＲＢＢ２遺伝子のメチル化状態を検出することを含み、ＥＲＢＢ２遺伝子の低メチル化が細胞におけるＥＲＢＢ２の過剰発現を示す、細胞におけるＥＲＢＢ２遺伝子の過剰発現を判定する方法。
【請求項４】
前記メチル化状態がＥＲＢＢ２遺伝子の一部において検出される、請求項１から３のいずれか一項に記載の方法。
【請求項５】
ＥＲＢＢ２遺伝子の一部がエンハンサーである、請求項４に記載の方法。
【請求項６】
ＥＲＢＢ２遺伝子の一部がエンハンサーおよびプロモーターである、請求項４に記載の方法。
【請求項７】
ＥＲＢＢ２遺伝子の一部が６ＣｐＧ反復領域を含む、請求項４から６のいずれか一項に記載の方法。
【請求項８】
ＥＲＢＢ２遺伝子の一部が配列番号１の核酸配列を含む、請求項４から７のいずれか一項に記載の方法。
【請求項９】
ＥＲＢＢ２遺伝子の一部が配列番号２の核酸配列からなる、請求項７に記載の方法。
【請求項１０】
低メチル化がＥＲＢＢ２遺伝子の約５０％未満のメチル化によって示される、請求項１から３のいずれか一項に記載の方法。
【請求項１１】
低メチル化がＥＲＢＢ２遺伝子の約２０％未満のメチル化によって示される、請求項１０に記載の方法。
【請求項１２】
低メチル化がＥＲＢＢ２遺伝子の一部の約５０％未満のメチル化によって示される、請求項４から９のいずれか一項に記載の方法。
【請求項１３】
低メチル化がＥＲＢＢ２遺伝子の一部の約２０％未満のメチル化によって示される、請求項１２に記載の方法。
【請求項１４】
治療上有効量のＥＧＦＲ阻害剤を含む、請求項２に記載の方法によりＥＧＦＲ阻害剤による治療から恩恵を受ける可能性があると特定された患者の癌を治療するための医薬。
【請求項１５】
治療上有効量のＥＧＦＲ阻害剤を含む、患者における癌を治療するための医薬であって、患者の癌はＥＲＢＢ２遺伝子の低メチル化を示し、ＥＲＢＢ２遺伝子の低メチル化がＥＧＦＲ阻害剤に対する対象による治療応答性の徴候である、医薬。
【請求項１６】
ａ．患者の癌の試料のＥＲＢＢ２遺伝子のメチル化状態を検出すること、および
ｂ．ＥＲＢＢ２遺伝子が低メチル化されていることが検出された場合に、治療のためにＥＧＦＲ阻害剤を選択すること
を含む、癌患者に対する療法を選択する方法。
【請求項１７】
治療上有効量のＥＧＦＲ阻害剤を含む、患者の癌を治療するための医薬であって、患者のＥＲＢＢ２遺伝子は請求項１６に記載の方法により低メチル化されていることが検出されている、医薬。
【請求項１８】
ＥＧＦＲ阻害剤が、エルロチニブ、セツキシマブまたはパニツムマブである、請求項１６に記載の方法または１７に記載の医薬。
【請求項１９】
治療上有効量のＨＥＲ２阻害剤を含む、患者における癌を治療するための医薬であって、患者の癌はＥＲＢＢ２遺伝子の低メチル化を示し、ＥＲＢＢ２遺伝子の低メチル化がＨＥＲ２阻害剤に対する対象による治療応答性の徴候である、医薬。
【請求項２０】
ａ．患者の癌の試料のＥＲＢＢ２遺伝子のメチル化状態を検出すること、および
ｂ．ＥＲＢＢ２遺伝子が低メチル化されていることが検出された場合に、治療のためにＨＥＲ２阻害剤を選択すること
を含む、癌患者に対する療法を選択する方法。
【請求項２１】
治療上有効量のＨＥＲ２阻害剤を含む、患者における癌を治療するための医薬であって、患者のＥＲＢＢ２遺伝子は請求項２０に記載の方法により低メチル化されていることが検出されている、医薬。
【請求項２２】
ＨＥＲ２阻害剤がトラスツズマブまたはトラスツズマブ−ＤＭ１である、請求項２０に記載の方法または請求項２１に記載の医薬。
【請求項２３】
メチル化状態がピロシークエンス法により検出される、請求項１から２２のいずれか一項に記載の方法または医薬。
【請求項２４】
ＥＲＢＢ２遺伝子が、ホルマリン固定パラフィン包埋（ＦＦＰＥ）組織または新鮮凍結組織からのものである、請求項１から２３のいずれか一項に記載の方法または医薬。
【請求項２５】
組織試料から単離されたＥＲＢＢ２遺伝子をピロシークエンスの前に前増幅する、請求項２４に記載の方法または医薬。
【請求項２６】
腫瘍細胞がＮＳＣＬＣ腫瘍細胞である、請求項１に記載の方法。
【請求項２７】
癌がＮＳＣＬＣである、請求項２または１６に記載の方法、または請求項１５に記載の医薬。
【手続補正書】
【提出日】平成27年7月17日(2015.7.17)
【手続補正１】
【補正対象書類名】特許請求の範囲
【補正対象項目名】全文
【補正方法】変更
【補正の内容】
【特許請求の範囲】
【請求項１】
患者の胸部圧縮を実行するＣＰＲデバイスであって、
メインフレームと、
前記メインフレームに対して人により手動で変位可能である変位可能な部分と、
前記胸部と接触をする接触表面であって、前記接触表面が、前記変位可能な部分により変位可能である、接触表面と、
前記胸部及び前記接触表面の間の接触を決定する接触センサと、
前記変位可能な部分の位置を決定する位置センサと、
前記接触が前記接触センサにより決定されるとき、前記位置センサにより決定される位置を初期位置として設定し、前記初期位置より上及び下の初期位置範囲を設定するプロセッサとを有する、ＣＰＲデバイス。
【請求項２】
前記変位可能な部分が前記初期位置範囲の外側に変位されたこと、及び／又は前記変位可能な部分が前記初期位置範囲内に配置されることを光又は音により人に知らせる音声／視覚フィードバックデバイスを更に有する、請求項１に記載のＣＰＲデバイス。
【請求項３】
第１の構成において、前記変位可能な部分が、手動で変位可能であり、かつモータにより自動的に変位可能であるか、又は
第２の構成において、前記ＣＰＲデバイスが、前記変位可能な部分に対して変位可能で、モータにより自動的に変位可能である変位可能なプランジャを更に有し、前記接触表面は、前記変位可能な部分により及び前記プランジャにより変位可能である、請求項１に記載のＣＰＲデバイス。
【請求項４】
前記第２の構成における前記ＣＰＲデバイスが、前記プランジャの位置を決定する第２の位置センサを更に有する、請求項３に記載のＣＰＲデバイス。
【請求項５】
前記初期位置範囲における前記変位可能な部分の安定した位置が、前記位置センサにより決定されない限り、前記変位可能な部分又は前記プランジャの自動変位が禁止されるよう、前記プロセッサは前記モータを制御するよう更に構成される、請求項３に記載のＣＰＲデバイス。
【請求項６】
前記音声／視覚フィードバックデバイスが、前記患者の胸部へ光を投影することにより、前記人に通知するよう構成される、請求項２に記載のＣＰＲデバイス。
【請求項７】
ＣＰＲデバイスの初期セットアップに関する方法において、
前記ＣＰＲデバイスが、前記ＣＰＲデバイスのメインフレームに対して人により手動で変位可能である変位可能な部分と、前記変位可能な部分により変位可能である前記胸部と接触する接触表面とを有しており、
前記方法が、
前記変位可能な部分を前記胸部の方へ手動で変位させるステップと、
接触センサを用いて前記胸部及び前記接触表面の間の接触を決定するステップと、
位置センサを用いて前記変位可能な部分の位置を決定するステップと、
前記接触が前記接触センサにより決定されるとき、前記位置センサにより決定される位置を初期位置として設定し、前記初期位置より上及び下の初期位置範囲を設定するステップとを有する、方法。
【手続補正書】
【提出日】平成27年8月17日(2015.8.17)
【手続補正１】
【補正対象書類名】特許請求の範囲
【補正対象項目名】全文
【補正方法】変更
【補正の内容】
【特許請求の範囲】
【請求項１】
気管通気チューブ、加圧流体源、および吸引源と共に用いられる装置であって、前記装置は、
（ａ）細長い可撓性の管状本体、（ｂ）前記本体に沿って配置された１つ以上の流体送達ルーメン、および、（ｃ）前記本体に沿って配置された１つ以上の吸引ルーメンを備えた、前記通気チューブに挿入可能なクリーニングカテーテルと、
（ａ）前記吸引源に流体が連通した状態で接続可能な吸引口および前記加圧流体源に流体が連通した状態で接続可能な流体口を規定するような形状を有し、（ｂ）少なくとも第１、第２、および第３の作動状態をとるように構成された流量制御器と、
（ａ）前記流量制御器の作動状態を機械的に且つ非電気的に設定し、（ｂ）少なくとも第１、第２、および第３の形態をとり、（ｃ）前記第２の形態を介して前記第１および前記第３の形態間で切り替えられるように構成された機械的ユーザコントロール部材とを備えた、前記クリーニングカテーテルに接続される入力モジュールと、
を備え、前記入力モジュールは、
前記ユーザコントロール部材が前記第１の形態にある時には、前記流量制御器は、（ａ）前記吸引口と前記１つ以上の吸引ルーメンとの間、および、（ｂ）前記流体口と前記１つ以上の流体送達ルーメンとの間の流体が連通した状態を遮断する前記第１の作動状態にあり、
前記ユーザコントロール部材が前記第２の形態にある時には、前記流量制御器は、前記吸引口と前記１つ以上の吸引ルーメンとの間の流体が連通した状態を許可し、前記流体口と前記１つ以上の流体送達ルーメンとの間の流体が連通した状態を遮断する前記第２の作動状態にあり、
前記ユーザコントロール部材が前記第３の形態にある時には、前記流量制御器は、（ａ）前記吸引口と前記１つ以上の吸引ルーメンとの間、および、（ｂ）前記流体口と前記１つ以上の流体送達ルーメンとの間の流体が連通した状態を許可する前記第３の作動状態にあるように構成されている、装置。
【手続補正書】
【提出日】平成27年8月11日(2015.8.11)
【手続補正１】
【補正対象書類名】特許請求の範囲
【補正対象項目名】全文
【補正方法】変更
【補正の内容】
【特許請求の範囲】
【請求項１】
多孔性ウィッキング要素および伝導性要素を含み、前記多孔性ウィッキング要素が前記
伝導性要素に結合されている、伝導性複合灯心。
【請求項２】
前記多孔性ウィッキング要素が繊維または焼結多孔性プラスチックを含む、請求項1に
記載の伝導性複合灯心。
【請求項３】
前記伝導性要素が炭素、金属または合金を含む、請求項1に記載の伝導性複合灯心。
【請求項４】
前記繊維がステープルファイバー、連続繊維、二成分繊維、一成分繊維またはその組み
合わせを含む、請求項2に記載の多孔性ウィッキング要素。
【請求項５】
前記焼結多孔性プラスチックがポリエチレンまたはポリプロピレンを含む、請求項2に
記載の多孔性ウィッキング要素。
【請求項６】
前記ポリエチレンが高密度ポリエチレン、非常に高分子量のポリエチレンまたは超高分
子量ポリエチレンである、請求項5に記載の多孔性ウィッキング要素。
【請求項７】
繊維多孔性ウィッキング要素が、約10ミクロン〜約200ミクロンの孔径と、約40%〜約95%の細孔容積を有するか、焼結多孔性プラスチックウィッキング要素が、約10ミクロン〜約200ミクロンの孔径と、約10%〜約70%の細孔容積を有する請求項2に記載の伝導性複合灯心。
【請求項８】
約10ミクロン〜約200ミクロンの孔径と、約10%〜約70%の細孔容積を有する、請求項2に
記載の焼結多孔性プラスチックウィッキング要素。
【請求項９】
多孔性ウィッキング要素および伝導性要素を含み、前記多孔性ウィッキング要素が前記
伝導性要素に結合されている、伝導性複合灯心と、
前記伝導性要素に接続されたエネルギー源とを備えた装置。
【請求項１０】
前記エネルギー源が加熱素子または電源を含む、請求項9に記載の装置。
【請求項１１】
前記装置を収容する容器をさらに含み、前記容器が開口部を持つ、請求項9に記載の装
置。
【請求項１２】
揮発性材料を含むリザーバーをさらに含む、請求項9に記載の装置。
【請求項１３】
揮発性材料を空中に放出するための方法であって、
開口部を持ち、揮発性材料のリザーバーを含む容器と、
多孔性ウィッキング要素および伝導性要素を含み、前記多孔性ウ
ィッキング要素が前記伝導性要素に結合され、前記多孔性ウィッキング要素の第一の部分
が前記リザーバー内の前記揮発性材料に接触し、前記多孔性ウィッキング要素の第二の部
分が前記揮発性材料の前記リザーバーの外側に位置する、伝導性複合灯心と、
前記伝導性要素に接続されたエネルギー源とを備えた装置を準備
すること、
前記エネルギー源から前記伝導性要素にエネルギーを適用すること、
前記揮発性材料を前記リザーバーから前記多孔性ウィッキング要素を通し
てウィッキングすること、および
前記揮発性材料を前記多孔性ウィッキング要素から放出することを含む方
法。
【請求項１４】
前記エネルギー源がDCエネルギー源またはACエネルギー源を含む、先行する請求項のいずれかに記載のエネルギー源。
【請求項１５】
前記伝導性要素が熱伝導性または電気伝導性である、先行する請求項のいずれかに記
載の伝導性要素。
【請求項１６】
前記揮発性材料が芳香剤、殺虫剤、防虫剤、消毒薬、脱臭剤、フェロモン、医薬品また
はその組み合わせを含む、先行する請求項のいずれかに記載の揮発性材料。
【手続補正書】
【提出日】平成27年8月11日(2015.8.11)
【手続補正１】
【補正対象書類名】特許請求の範囲
【補正対象項目名】全文
【補正方法】変更
【補正の内容】
【特許請求の範囲】
【請求項１】
刺激プロトコル決定システムであって、
検出された呼吸努力情報を介して、睡眠時無呼吸に関連する上気道の少なくとも部分的な閉塞に対応する上気道の流れ制限の兆候を受け取る入力モジュールと、
上気道の流れ制限の兆候に基づいて刺激プロトコルを自動的に選択する選択モジュールとを有し、
刺激プロトコルが、呼吸サイクルの呼気フェーズに略同調して刺激を付与するための第１のプロトコル、および、呼吸サイクルの吸気フェーズの一部分と呼気フェーズの一部分との両方において刺激を付与するための第２のプロトコルの少なくとも１つを含んでいる、刺激プロトコル決定システム。
【請求項２】
上気道の流れ制限の兆候が主に呼気フェーズと同時に起こる場合、第１のプロトコルが、自動的に選択される、請求項１に記載の刺激プロトコル決定システム。
【請求項３】
上気道の流れ制限の兆候が主に吸気フェーズの第１の部分と呼気フェーズの第１の部分との両方に起こり、且つ、主に吸気フェーズの第２の部分と呼気フェーズの第２の部分とに起こらない場合、第２のプロトコルが自動的に選択される、請求項１に記載の刺激プロトコル決定システム。
【請求項４】
吸気フェーズの第１の部分が少なくとも吸気フェーズの末期部を含むが吸気フェーズの初期部を含まず、
呼気フェーズの第１の部分が少なくとも呼気フェーズの初期部を含むが呼気フェーズの末期部を含んでいない、請求項３に記載の刺激プロトコル決定システム。
【請求項５】
第２のプロトコルが、少なくともいくつかの呼吸サイクルの少なくとも一部分において、略連続する刺激期間を付与することを含み、
略連続する刺激期間が、主に吸気フェーズの第１の部分と呼気フェーズの第１の期間とに起こり、
略連続する刺激期間が、吸気フェーズの始まりより後に位置する最初の開始点と、呼気フェーズの終わりより前に位置する最初の終了点とを含んでいる、請求項４に記載の刺激プロトコル決定システム。
【請求項６】
第２のプロトコルが、第１の期間にわたる一連の連続する複数の呼吸サイクルにおいて略連続する刺激期間を付与することを含み、
入力モジュールが、
第１の期間内において（機能障害しきい値を超えた）少なくともいくつかの上気道の流れ制限の兆候を受け取ったか否かを判定し、
入力モジュールが第１の期間内において少なくともいくつかの兆候を受け取った場合には、略連続する刺激期間の継続時間を維持するまたは増加し、
入力モジュールが第１の期間内において兆候を受け取らなかった場合には、略連続する刺激期間の継続時間を減少する、ように構成されている、請求項５に記載の刺激プロトコル決定システム。
【請求項７】
第１の期間が、無呼吸時の呼吸低下の兆候に基づく、刺激がないときに無呼吸が生じる可能性がある期間である、請求項６に記載の刺激プロトコル決定システム。
【請求項８】
継続時間を減少させることには、
次の一連の連続する呼吸サイクルのために、最初の開始点を吸気フェーズの末期部に接近するように減少的に移動させること、および、
次の一連の連続する呼吸サイクルのために、最初の終了点を呼気フェーズの初期部に接近するように減少的に移動させることの少なくとも一方が含まれている、請求項６に記載の刺激プロトコル決定システム。
【請求項９】
略連続する刺激期間の第１の部分が、吸気フェーズの第１の部分に一致するとともに、吸気フェーズ全体の少なくとも３分の１の継続時間、吸気フェーズ全体の少なくとも２分の１の継続時間、および吸気フェーズ全体の少なくとも３分の２の継続時間の少なくとも１つを有する、請求項５に記載の刺激プロトコル決定システム。
【請求項１０】
略連続する刺激期間の第２の部分が、呼気フェーズの第１の部分に一致するとともに、呼気フェーズ全体の少なくとも３分の１の継続時間、呼気フェーズ全体の少なくとも２分の１の継続時間、および呼気フェーズ全体の少なくとも３分の２の継続時間の少なくとも１つを有する、請求項５に記載の刺激プロトコル決定システム。
【請求項１１】
吸気フェーズの第１の部分が呼気フェーズの少なくとも大部分に相当し、
呼気フェーズの第１の部分が呼気フェーズの少なくとも大部分に相当する、請求項４に記載の刺激プロトコル決定システム。
【請求項１２】
吸気フェーズの大部分が少なくとも３分の２の吸気フェーズを有し、
呼気フェーズの大部分が少なくとも３分の２の呼気フェーズを有する、請求項１１に記載の刺激プロトコル決定システム。
【請求項１３】
流れ制限が概ね吸気フェーズに起こる場合、選択モジュールが、吸気フェーズに略同期して刺激を付与するための第３のプロトコルを自動的に選択するように構成されている、請求項１に記載の刺激プロトコル決定システム。
【請求項１４】
埋め込み可能なパルス発生器と、
第１および第２の刺激プロトコルそれぞれを付与するためにパルス発生器に電気的に接続可能であって、上気道の神経と電気的に接続するように構成された神経カフ電極とを有する、請求項１に記載の刺激プロトコル決定システム。
【請求項１５】
呼吸努力情報を検出する呼吸センサを有する、請求項１４に記載の刺激プロトコル決定システム。
【手続補正書】
【提出日】平成27年8月20日(2015.8.20)
【手続補正１】
【補正対象書類名】特許請求の範囲
【補正対象項目名】全文
【補正方法】変更
【補正の内容】
【特許請求の範囲】
【請求項１】
安定化された挽いていない生コーヒー豆の混合物を作成するために挽いていない生コーヒー豆を処理する方法であって、該方法は、
植物性栄養素を天然に存在するレベルで有する新鮮な生の未焙煎状態で挽いていない生コーヒー豆を選択し；
コーヒー豆を滅菌し；
コーヒー豆の水分含有量を減少させ；
コーヒー豆を粉砕し；及び
粉砕したコーヒー豆に少なくとも１つの安定化剤を混合する
ことを含み、上述のステップのすべてが、コーヒー豆中の天然に存在するレベルの植物性栄養素を実質的に分解するのに十分な時間、十分に高い温度にコーヒー豆を曝露させることなしに達成される方法。
【手続補正書】
【提出日】平成27年8月21日(2015.8.21)
【手続補正１】
【補正対象書類名】明細書
【補正対象項目名】０００１
【補正方法】変更
【補正の内容】
【０００１】
関連出願との相互参照
本発明は、米国仮出願第６１／５２６，９４７号（タイトル"Ａｃｔｉｖａｔｅｄ  Ｃａｒｂｏｎ  Ｃｏｎｔａｉｎｉｎｇ  Ｗｏｕｎｄ  Ｄｒｅｓｓｉｎｇ"、２０１１年８月２４日出願）に対する優先権を主張し、その仮出願全体が本参照により本出願に組み込まれるものである。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許出願公開第２００４／０１３３１４１号明細書
（特許文献２）  米国特許出願公開第２００６／０１４２７０９号明細書
（特許文献３）  米国特許出願公開第２００７／００２６２０９号明細書
（特許文献４）  米国特許出願公開第２００７／０１２２４６３号明細書
（特許文献５）  米国特許出願公開第２００９／０３１２６８４号明細書
（特許文献６）  米国特許第３，０５４，１４８号明細書
（特許文献７）  米国特許第３２２，６６４号明細書
（特許文献８）  米国特許第４，６５７，８０８号明細書
（特許文献９）  米国特許第４，７１５，８５７号明細書
（特許文献１０）  米国特許第４，９２８，６８１号明細書
（特許文献１１）  米国特許第６，６６０，９０１号明細書
（特許文献１２）  米国特許第７，３０９，３３１号明細書
（特許文献１３）  米国特許第７，４９４，６２９号明細書
（特許文献１４）  米国特許第７，５１７，５３６号明細書
（特許文献１５）  欧州特許第０９２７０１２号明細書
（特許文献１６）  国際公開第１９８６／０５９７０号
（特許文献１７）  国際公開第２０１３／０２８９６６号
（非特許文献）
（非特許文献１）  Ｉｎｔｅｒｎａｔｉｏｎａｌ  Ｓｅａｒｃｈ  Ｒｅｐｏｒｔ  ａｎｄ  Ｗｒｉｔｔｅｎ  Ｏｐｉｎｉｏｎ  ｏｆ  ｔｈｅ  Ｉｎｔｅｒｎａｔｉｏｎａｌ  Ｓｅａｒｃｈｉｎｇ  Ａｕｔｈｏｒｉｔｙ，ｄａｔｅｄ  Ｆｅｂｒｕａｒｙ  １３，２０１３，ｆｒｏｍ  ｃｏｕｎｔｅｒｐａｒｔ  ｆｏｒｅｉｇｎ  ａｐｐｌｉｃａｔｉｏｎ  ＰＣＴ／ＵＳ２０１２／０５２２４６，Ｉｎｔｅｒｎａｔｉｏｎａｌ  Ｆｉｌｉｎｇ  Ｄａｔｅ  Ａｕｇｕｓｔ  ２４，２０１２
【手続補正書】
【提出日】平成27年11月2日(2015.11.2)
【手続補正１】
【補正対象書類名】特許請求の範囲
【補正対象項目名】全文
【補正方法】変更
【補正の内容】
【特許請求の範囲】
【請求項１】
繊維組成物の圧密化生産物を含む変圧器紙であって、前記繊維組成物は、その中の繊維の合計質量に対して、
ポリエーテルイミドホモポリマー繊維、ポリエーテルイミドコポリマー繊維またはこれらの組み合わせを３５〜７０質量％と、
芳香族ポリアミドフィブリッド、芳香族ポリアミド繊維またはこれらのものの少なくとも１つを含む組み合わせを含むバインダー繊維を少なくとも５質量％と、
５〜３０質量％の液晶ポリマー繊維と、を含み、
前記バインダー繊維は、ポリカーボネートを１０質量％未満含み、
前記ポリエーテルイミドは下式の構造単位
【化１】
2015514165.tif 000001
｛式中、ｎは２以上であり；Ｒは、Ｃ６−２０芳香族炭化水素基、これらのハロゲン化誘導体、直鎖または分枝鎖のＣ２−１０アルキレン基、Ｃ３−２０シクロアルキレン基または下式の構造の二価基
【化２】
2015514165.tif 000002
［式中、Ｑ１は、単結合、−Ｏ−、−Ｓ−、−Ｃ（Ｏ）−、−ＳＯ２−、−ＳＯ−および−ＣｙＨ２ｙ−（ｙ：１〜５の整数）とそのハロゲン化誘導体］であり；Ｚ１はそれぞれ独立に、１〜６個のＣ１−８アルキル基、１〜８個のハロゲン原子あるいはこれらのものの少なくとも１つを含む組み合わせで任意に置換された芳香族Ｃ６−２４単環式または多環式部分である｝を含むことを特徴とする変圧器紙。
【請求項２】
ポリエーテルイミドは、１５０〜２００℃のシリコーンオイル、植物油または鉱油にさらされた時に、その分子量の少なくとも９０％を保持することを特徴とする請求項１に記載の変圧器紙。
【請求項３】
ポリエーテルイミドは、１８０℃のシリコーンオイル、植物油または鉱油にさらされた時に、その分子量の少なくとも９０％を保持することを特徴とする請求項１に記載の変圧器紙。
【請求項４】
前記圧密化生産物は、
少なくとも１０００ＭΩ−ｃｍの抵抗率と、
少なくとも１７７ｋＶ／ｃｍの絶縁破壊強度と、
ＮＥＭＡクラスＦ（１５５℃）およびＮＥＭＡクラスＨ（１８０℃）の基準を超える加熱能と、
Ｅｌｍｅｎｄｏｒｆ引裂強度として測定して、少なくとも８５ｍＮの引裂強度と、
０超〜１００ｍｍ未満の厚みと、を有することを特徴とする請求項１乃至請求項３のいずれかに記載の変圧器紙。
【請求項５】
前記圧密化生産物は、変圧器オイルが循環できて、ガスを圧密化生産物の外部に追い出せる十分な気孔率を有することを特徴とする請求項１乃至請求項４のいずれかに記載の変圧器紙。
【請求項６】
気孔率は１０〜９０容積％であることを特徴とする請求項１乃至請求項５のいずれかに記載の変圧器紙。
【請求項７】
前記Ｚ１は下式の二価基
【化３】
2015514165.tif 000003
［式中、Ｑａはそれぞれ独立に、単結合、（−Ｏ）−、−Ｓ−、−Ｃ（Ｏ）−、−ＳＯ２−、−ＳＯ−および−ＣｙＨ２ｙ−（ｙ：１〜５の整数）とそのハロゲン化誘導体］であり、前記Ｒは、下式の二価基
【化４】
2015514165.tif 000004
［式中、Ｑ１は、単結合、−Ｏ−、−Ｓ−、−Ｃ（Ｏ）−、−ＳＯ２−、−ＳＯ−、−ＣｙＨ２ｙ−（ｙ：１〜５の整数）あるいはそのハロゲン化誘導体］およびこれらのものの少なくとも１つを含む組み合わせであることを特徴とする請求項１乃至請求項６のいずれかに記載の変圧器紙。
【請求項８】
前記Ｚ１は、２，２−（４−フェニレン）イソプロピリデンであり、前記Ｒは、ｍ−フェニレン、ｐ−フェニレンジアリールスルホン、あるいはこれらのものの少なくとも１つを含む組み合わせであることを特徴とする請求項１乃至請求項７のいずれかに記載の変圧器紙。
【請求項９】
前記芳香族ポリアミドは、ポリ（ｐ−フェニレンテレフタルアミド）、ポリ（ｐ−フェニレンテレフタルイミド−ｃｏ−３’４’−オキシジフェニレンテレフタルイミド）、あるいはこれらの芳香族ポリアミドの少なくとも１つを含む組み合わせであることを特徴とする請求項１乃至請求項８のいずれかに記載の変圧器紙。
【請求項１０】
液晶ポリマーは、ポリ（４−ヒドロキシ安息香酸−ｃｏ−６−ヒドロキシ−２−ナフトエ酸）であることを特徴とする請求項１乃至請求項９のいずれかに記載の変圧器紙。
【手続補正書】
【提出日】平成27年9月15日(2015.9.15)
【手続補正１】
【補正対象書類名】明細書
【補正対象項目名】００１６
【補正方法】変更
【補正の内容】
【００１６】
適当なポリアミドの別の群は、ダイマー脂肪酸およびポリアミンに基づいて製造することができるものである。例えば、次の成分から構成されるポリアミドを用いることができる：
−  50〜98モル％のダイマーまたはポリマー脂肪酸、
−  2〜50モル％のC6〜C24脂肪族または脂環式ジカルボン酸、
−  0〜10モル％のC12〜C18モノカルボン酸、
ここで、その総量は100モル％を生じ、および
−  100〜60モル％の脂肪族および／または脂環式ジアミン、
−  0〜40モル％のポリオキシアルキレンジアミン、
ここでその総量は100モル％を生じる。
【手続補正２】
【補正対象書類名】明細書
【補正対象項目名】００２６
【補正方法】変更
【補正の内容】
【００２６】
本発明による好ましく適当な実施態様では、50〜75モル％のダイマー脂肪酸、25〜50モル％の6〜24個の炭素原子、特にC6〜C18を有する脂肪族または脂環式ジカルボン酸、および0〜10モル％のモノカルボン酸（その総量は100モル％を生じる）から製造されるポリアミドが使用される。
【手続補正３】
【補正対象書類名】明細書
【補正対象項目名】００２７
【補正方法】変更
【補正の内容】
【００２７】
別の好ましい実施態様では、特に2〜12個の炭素原子を有する、脂肪族および脂環式ジアミンの混合物70〜98モル％、およびp-テトラヒドロフランまたはポリプロピレングリコールに基づくポリオキシアルキレンジアミン2〜30モル％（その総量はまた100モル％を生じる）の混合物としてアミンが使用される。
【手続補正４】
【補正対象書類名】明細書
【補正対象項目名】００３４
【補正方法】変更
【補正の内容】
【００３４】
適当な有機カチオンは、例えば次の構造体の第４級化合物である：テトラアルキルホスホニウム、トリアルキルスルホニウム、テトラアルキルアンモニウム、NT-アルキル置換環式5または6員環アミン、N+-アルキル置換芳香族5員環イミダゾリン、ここで、1〜12個の炭素原子を有する脂肪族直鎖状基がアルキル基として用いられる。このアルキル基は同一または異なってよい。このアルキル基は、必要に応じてOH基で置換されてもよい。原理上、種々のアニオンおよびカチオンは、その化合物がその後に塩状の特性を示すのであれば、組み合わせることができる。好ましい実施態様において、塩状化合物は40℃より高い融点を有することを表す。
【手続補正５】
【補正対象書類名】明細書
【補正対象項目名】００４３
【補正方法】変更
【補正の内容】
【００４３】
ポリアミドに対して好ましい組成物は、
−  75〜30モル％のダイマー脂肪酸、
−  25〜70モル％のC6〜C24ジカルボン酸、
−  0〜10モル％のモノカルボン酸、
−  66〜98モル％の少なくとも１つのC12以下の脂肪族ジアミン、
−  1〜25モル％の少なくとも１つの脂環式ジアミン、
−  1〜30モル％のポリエーテルジアミン、好ましくはポリエチレングリコールまたはポリプロピレングリコールに基づくもの
であり、ここで、ジアミンおよびカルボン酸の総量はそれぞれ100モル％に等しい。わずかに過剰のアミンが含まれてよく、その結果、アミン末端ポリアミドが生じる。
【手続補正書】
【提出日】平成27年9月28日(2015.9.28)
【手続補正１】
【補正対象書類名】特許請求の範囲
【補正対象項目名】全文
【補正方法】変更
【補正の内容】
【特許請求の範囲】
【請求項１】
配列番号７０と比較して１位のＮ末端システインが欠失しており、配列番号７１に少なくとも９５％同一であるアミノ酸配列を含む、脂質化されておらずピルビル化されていない単離されたポリペプチド。
【請求項２】
配列番号７０と比較して１位のＮ末端システインが欠失しており、配列番号７１の配列を含む、請求項１に記載のポリペプチド。
【請求項３】
免疫原性である、請求項１に記載のポリペプチド。
【請求項４】
質量分析によって測定すると対応する非脂質化ポリペプチドと比較して約＋７０Ｄａの質量シフトを示さない、請求項１に記載のポリペプチド。
【請求項５】
配列番号７１の１〜１８４位のアミノ酸配列を含む、請求項１に記載の単離されたポリペプチド。
【請求項６】
アミノ酸配列が配列番号７１に記載の配列からなる、請求項１に記載の単離されたポリペプチド。
【請求項７】
請求項１〜６のいずれか１項に記載のポリペプチドを含む免疫原性組成物。
【請求項８】
配列番号１８と比較して１位のＮ末端システインが欠失しており、配列番号４９のアミノ酸配列を有する脂質化されておらずピルビル化されていない単離されたポリペプチドをさらに含む、請求項７に記載の免疫原性組成物。
【手続補正書】
【提出日】平成27年6月24日(2015.6.24)
【手続補正１】
【補正対象書類名】明細書
【補正対象項目名】００１９
【補正方法】変更
【補正の内容】
【００１９】
上記は、カラーグレーディングを施された画像をプレビューするための技術について記載する。  
更に、以下の付記を開示する。
（付記１）
夫々が対応するカラーメタデータを有する異なるサンプル画像外観の組の中からユーザによって選択されたサンプル画像外観に対応するカラーメタデータを取得するステップと、
前記選択されたサンプル画像外観に対応するカラーメタデータを画像ファイルとともに記憶するステップと、
前記画像ファイルのプレビューを生成するよう、前記選択されたサンプル画像外観に対応するカラーメタデータを前記画像ファイルに適用するステップと
を有する、カラーグレーディングが強化された画像プレビュー方法。
（付記２）
ユーザ入力に応答して前記サンプル画像外観に対応するカラーメタデータを変更するステップを更に有する、
付記１に記載の画像プレビュー方法。
（付記３）
前記カラーメタデータは、曲線制御ルックアップテーブルからの少なくとも１つの値のユーザ選択に応答して変更される、
付記２に記載の画像プレビュー方法。
（付記４）
前記カラーメタデータは、カラーキーイングルックアップテーブルからの少なくとも１つの値のユーザ選択に応答して変更される、
付記２に記載の画像プレビュー方法。
（付記５）
前記カラーメタデータは、色補正決定リストからの少なくとも１つの値のユーザ選択に応答して変更される、
付記２に記載の画像プレビュー方法。
（付記６）
夫々が対応するカラーメタデータを有するサンプル画像外観の組を記憶する第１のファイルシステムと、
少なくとも１つのオーディオビジュアルファイルを有する第２のファイルシステムと、
ユーザによって選択されたサンプル画像外観を前記第１のファイルシステムからダウンロードし、前記選択されたサンプル画像外観に対応するカラーメタデータを画像ファイルとともに記憶し、前記画像ファイルのプレビューを生成するよう前記選択されたサンプル画像外観に対応するカラーメタデータを前記画像ファイルに適用するプロセッサ手段と
を有する、カラーグレーディングが強化された画像プレビュー装置。
（付記７）
前記プロセッサ手段は、ユーザ入力に応答して前記サンプル画像外観に対応するカラーメタデータを変更する、
付記６に記載の画像プレビュー装置。
（付記８）
前記プロセッサ手段は、曲線制御ルックアップテーブルからの少なくとも１つの値のユーザ選択に応答して、前記サンプル画像外観に対応するカラーメタデータを変更する、
付記６に記載の画像プレビュー装置。
（付記９）
前記プロセッサ手段は、カラーキーイングルックアップテーブルからの少なくとも１つの値のユーザ選択に応答して、前記サンプル画像外観に対応するカラーメタデータを変更する、
付記６に記載の画像プレビュー装置。
（付記１０）
前記プロセッサ手段は、色補正決定リストからの少なくとも１つの値のユーザ選択に応答して、前記サンプル画像外観に対応するカラーメタデータを変更する、
付記６に記載の画像プレビュー装置。
【手続補正書】
【提出日】平成27年4月10日(2015.4.10)
【手続補正１】
【補正対象書類名】明細書
【補正対象項目名】０１２６
【補正方法】変更
【補正の内容】
【０１２６】
図２１Ａ〜図２１Ｃは、被覆部材３７２または別の支持部材のいずれかに支持されたポンプアセンブリ３７４および電力源３７６を備える別の被覆材キットの実施形態３７０を示している。ある実施形態では、被覆部材３７２は、ポンプアセンブリ３７４および／または電力源３７６を受け入れるように構成された窪み３７３を備え得る。図２１を参照すると、本明細書に開示された任意の実施形態では、１つまたは２つ以上の電池は、電力源３７６の少なくとも一部を包囲する筺体３７７と取り外し可能に係合できるように構成された取り外し可能なカートリッジで支持され得る。ある実施形態では、筺体３７７は、ポンプアセンブリ３７４を支持または包囲もできる。図２１Ｂを参照すると、ある実施形態では、電力源３７６を支持するために使用される筺体３７７は、電池であり得る電力源３７６へとアクセスするために開けることができる蓋、カバー、またはハッチ３７９を備え得る。
【手続補正２】
【補正対象書類名】明細書
【補正対象項目名】０１６６
【補正方法】変更
【補正の内容】
【０１６６】
可撓性の導管８１８は、ポンプアセンブリ８１４により発生される負圧を、被覆部材８１２に、および／または被覆部材８１２と創傷との間の空間に、伝えることができる。本明細書に開示された任意の実施形態では、図４３に示した実施形態を含め、導管８１８は、折り畳まれた導管が、運転中に、捩れたり、潰れたりすることなどを、防止または相当防止しつつ、内部での流体の通過を許容するために、発泡体、透過層もしくは三次元に編まれた布、および／または他の多孔質の材料を備え得る。ある実施形態では、図４３Ｃ〜図４３Ｅを参照すると、導管８１８は、ポンプアセンブリ８１４と吸収材料８１２との間に、導管を形成する透過材料の小さいシートを備え得る。この配置で、透過材料は、折り畳まれた導管が、運転中に、捩れたり、潰れたりすることなどを、防止または相当防止するために、発泡体、透過層もしくは三次元に編まれた布、および／または他の多孔質の材料を備え得ると共に、吸収層および／もしくは透過層８１３のおよそ３分の１の幅、または吸収層および／もしくは透過層８１２のおよそ４分の１からおよそ２分の１の幅である流れ方向を横断する断面積を有し得る。導管８１８のこの追加幅は、減圧の被覆材の層８１３への伝達に影響を与え得る導管の閉塞を防止する助けとなり得る。
【手続補正３】
【補正対象書類名】明細書
【補正対象項目名】０２０６
【補正方法】変更
【補正の内容】
【０２０６】
１つまたは２つ以上の圧力指示器は、被覆材における任意所望の位置で支持され得る。図６５を参照すると、圧力指示器１２７０は、被覆材が、減圧の低いまたは無い第１状態にあるとき、膨張した位置（図６５Ａに示す）にあり、被覆材が、減圧の増した第２状態にあるとき、潰れた位置（図６５Ｂに示す）にあるように構成された圧力気泡部１２７２（pressure bubble）を備え得る。本明細書に開示された任意の実施形態では、被覆材は、伸縮可能または実質的に伸縮可能な膜（膜１２７４など）に被さって位置付けられた圧力気泡部（圧力気泡部１２７２など）を備え得る。膜１２７４は、気体浸透性であるが、ある実施形態では液体不浸透性である材料から形成され得る。膜１２７４は、緩んだ第１状態で実質的にまたは完全に不透明であり、より押し込まれた第２状態で弱まった不透明（つまり、より半透明）であるように構成され得る。代替的に、膜材料は、引き伸ばされていない第１状態で、いくらか半透明であり、引き伸ばされた第２状態で、より半透明であってもよい。被覆材に加えられる減圧は、膜を押し込ませ得るか、第１状態から第２状態へと動作させ得る。
【手続補正４】
【補正対象書類名】図面
【補正対象項目名】図２３Ｂ
【補正方法】変更
【補正の内容】
【図２３Ｂ】
2015514451.tif 000001
【手続補正５】
【補正対象書類名】図面
【補正対象項目名】図８５Ｄ
【補正方法】変更
【補正の内容】
【図８５Ｄ】
2015514451.tif 000002
【手続補正６】
【補正対象書類名】図面
【補正対象項目名】図８５Ｅ
【補正方法】変更
【補正の内容】
【図８５Ｅ】
2015514451.tif 000003
【手続補正書】
【提出日】平成27年9月30日(2015.9.30)
【手続補正１】
【補正対象書類名】特許請求の範囲
【補正対象項目名】全文
【補正方法】変更
【補正の内容】
【特許請求の範囲】
【請求項１】
クラリファイヤーにおいて流れを生成する水平型撹拌装置であって、
プロペラ（１）が、水中モータ（３）に、当該水中モータ（３）から軸心方向に少しずらして接続されており、
前記プロペラ（１）および前記水中モータ（３）は、当該水中モータ（３）が動作すると当該プロペラ（１）から当該水中モータ（３）の方向に流れが生成されるように構成されており、
前記プロペラ（１）の下流側には、当該プロペラの軸心に対して略平行に延在する少なくとも１つの軸心方向平面上に延設された、プレート状の流れ案内要素（５，７）が設けられている、水平型撹拌装置において、
前記水中モータ（３）が、少なくとも２つの第１の流れ案内要素（５）を介して、前記クラリファイヤーの底部（Ｂ）に支持されていることを特徴とする、水平型撹拌装置。
【請求項２】
請求項１に記載の水平型撹拌装置において、前記第１の流れ案内要素（５）が、前記水中モータ（３）を支持する少なくとも１つのキャリアプレート（４ａ，４ｂ）を介して相互連結している、水平型撹拌装置。
【請求項３】
請求項２に記載の水平型撹拌装置において、前記第１の流れ案内要素（５）がそれぞれ、前記キャリアプレート（４ａ，４ｂ）から９０°〜１４０°の角度で延出する、水平型撹拌装置。
【請求項４】
請求項２または３に記載の水平型撹拌装置において、前記第１の流れ案内要素（５）および／または前記少なくとも１つのキャリアプレート（４ａ，４ｂ）が、折り曲げられたシートメタルから製作されている、水平型撹拌装置。
【請求項５】
請求項２から４のいずれか一項に記載の水平型撹拌装置において、前記第１の流れ案内要素（５）が、前記底部の側で、少なくとも１つの連結要素（６ａ，６ｂ）を介して相互連結している、水平型撹拌装置。
【請求項６】
請求項２から５のいずれか一項に記載の水平型撹拌装置において、前記キャリアプレート（４ａ，４ｂ）に取り付けられた支持構造体からまたは前記水中モータ（３）から、前記クラリファイヤーの前記底部（Ｂ）から遠ざかる方向に延出する、第２の流れ案内要素（７）が設けられている、水平型撹拌装置。
【請求項７】
請求項２から６のいずれか一項に記載の水平型撹拌装置において、前記第１の流れ案内要素（５）が取り付けられた前記キャリアプレート（４ａ，４ｂ）によってマウント（Ａ）を形成しており、このマウント（Ａ）に、前記水中モータ（３）および前記プロペラ（１）で構成される組立ユニット（Ｍ）が、カップリング装置（８ａ，８ｂ，９ａ，９ｂ）によって着脱可能に固定されている、水平型撹拌装置。
【手続補正２】
【補正対象書類名】明細書
【補正対象項目名】００２３
【補正方法】変更
【補正の内容】
【００２３】
図２から分かるように、ケーブル１０の一端は、後方のキャリアプレート４ｂおよび前方のキャリアプレート４ａを通って案内されて、第３のカップリング要素９ａの領域で組立ユニットＭに固定される。ケーブル１０の他端は、クラリファイヤーの上方で固定されたプーリ（図示せず）を介して案内されて、固定ポイントに固定される。これにより、ケーブル１０は、さらなるケーブル１２と共にケーブルウィンチを形成することができる。このようなケーブルウィンチにより、組立ユニットＭを案内しながら当該組立ユニットＭをマウントＡの方向に下ろすことができる。さらに、そのようなケーブルウィンチは、カップリング装置を構成するカップリング要素８ａ，８ｂ，９ａ，９ｂと協働することによって当該組立ユニットＭをマウントＡに接続することができる。
なお、本発明は、実施の態様として以下の内容を含む。
［態様１］
クラリファイヤーにおいて流れを生成する水平型撹拌装置であって、
プロペラ（１）が、水中モータ（３）に、当該水中モータ（３）から軸心方向に少しずらして接続されており、
前記プロペラ（１）および前記水中モータ（３）は、当該水中モータ（３）が動作すると当該プロペラ（１）から当該水中モータ（３）の方向に流れが生成されるように構成されており、
前記プロペラ（１）の下流側には、当該プロペラの軸心に対して略平行に延在する少なくとも１つの軸心方向平面上に延設された、プレート状の流れ案内要素（５，７）が設けられている、水平型撹拌装置において、
前記水中モータ（３）が、少なくとも２つの第１の流れ案内要素（５）を介して、前記クラリファイヤーの底部（Ｂ）に支持されていることを特徴とする、水平型撹拌装置。
［態様２］
態様１に記載の水平型撹拌装置において、前記第１の流れ案内要素（５）が、前記水中モータ（３）を支持する少なくとも１つのキャリアプレート（４ａ，４ｂ）を介して相互連結している、水平型撹拌装置。
［態様３］
態様１または２に記載の水平型撹拌装置において、前記第１の流れ案内要素（５）がそれぞれ、前記キャリアプレート（４ａ，４ｂ）から９０°〜１４０°の角度で、好ましくは１００°〜１２０°の角度で延出する、水平型撹拌装置。
［態様４］
態様１から３のいずれか一態様に記載の水平型撹拌装置において、前記第１の流れ案内要素（５）および／または前記少なくとも１つのキャリアプレート（４ａ，４ｂ）が、折り曲げられたシートメタルから製作されている、水平型撹拌装置。
［態様５］
態様１から４のいずれか一態様に記載の水平型撹拌装置において、前記第１の流れ案内要素（５）が、前記底部の側で、少なくとも１つの連結要素（６ａ，６ｂ）を介して相互連結している、水平型撹拌装置。
［態様６］
態様１から５のいずれか一態様に記載の水平型撹拌装置において、前記キャリアプレート（４ａ，４ｂ）に取り付けられた支持構造体からまたは前記水中モータ（３）から、前記クラリファイヤーの前記底部（Ｂ）から遠ざかる方向に延出する、第２の流れ案内要素（７）が設けられている、水平型撹拌装置。
［態様７］
態様１から６のいずれか一態様に記載の水平型撹拌装置において、前記第１の流れ案内要素（５）が取り付けられた前記キャリアプレート（４ａ，４ｂ）によってマウント（Ａ）を形成しており、このマウント（Ａ）に、前記水中モータ（３）および前記プロペラ（１）で構成される組立ユニット（Ｍ）が、カップリング装置（８ａ，８ｂ，９ａ，９ｂ）によって着脱可能に固定されている、水平型撹拌装置。
【手続補正書】
【提出日】平成27年9月25日(2015.9.25)
【手続補正１】
【補正対象書類名】特許請求の範囲
【補正対象項目名】全文
【補正方法】変更
【補正の内容】
【特許請求の範囲】
【請求項１】
液体中の水銀の量を低減するための方法であって、水銀含有液体状第１流を、多孔質膜の片側上で流し、その間、前記水銀と反応するかまたは前記水銀を溶解する少なくとも１つの化合物を含有する第２流を、前記多孔質膜の他の側上で流して第１流および第２流を孔を介して接触させ、前記液体状第１流から水銀を除去する工程を含んでなる、方法。
【請求項２】
前記多孔質膜は、ポリマー物質を含んでなる、請求項１に記載の方法。
【請求項３】
前記多孔質膜は、ポリプロピレン、ポリエーテルエーテルケトン（ＰＥＥＫ）、テフロン（ＰＴＦＥ）またはポリビニリデンフルオライド（ＰＶＤＦ）を含んでなる、請求項１に記載の方法。
【請求項４】
前記多孔質膜は、非ポリマー物質を含んでなる、請求項１に記載の方法。
【請求項５】
前記多孔質膜は、ナノろ過、限外ろ過またはマイクロろ過に有用な寸法を有する細孔を含んでなる、請求項４に記載の方法。
【請求項６】
前記多孔質膜は、中空繊維、平坦シートまたは円板を含んでなる、請求項１に記載の方法。
【請求項７】
液体状第１流および第２流を、中空糸膜モジュールまたはらせん巻膜モジュールにおいて接触させる工程を含んでなる、請求項１に記載の方法。
【請求項８】
前記第２流は、アルカリ金属硫化物、アンモニウム二硫化物塩、ジスルフィド塩、多硫化物塩、過酸化水素または過塩素酸塩を含んでなる、請求項１に記載の方法。
【請求項９】
前記第２流は、アルカリ金属硫化物、アンモニウム二硫化物塩、ジスルフィド塩または多硫化物塩を含んでなる、請求項８に記載の方法。
【請求項１０】
前記多硫化物塩はＳ８である、請求項９に記載の方法。
【請求項１１】
前記方法は連続的に行う、請求項１に記載の方法。
【請求項１２】
前記方法はバッチモードにおいて行う、請求項１に記載の方法。
【請求項１３】
前記水銀含有第２流溶液を処理してそこから水銀を除去する工程をさらに含んでなる、請求項１に記載の方法。
【手続補正２】
【補正対象書類名】明細書
【補正対象項目名】０００９
【補正方法】変更
【補正の内容】
【０００９】
水銀の移動は、本質的に多孔質膜の細孔より起こる。細孔の寸法は重要ではない。ナノ−、限外−およびマイクロ−ろ過に関連した膜は全て、本発明の範囲内である; しかしながら、孔径および数（表面多孔性）は、流れを横切る水銀の移動の速度および１番目と２番目の流れの間の界面安定性を制御する手段を提供する。
【手続補正３】
【補正対象書類名】明細書
【補正対象項目名】００２８
【補正方法】変更
【補正の内容】
【００２８】
以下の表は、図１の実施態様を再び用いる、Ｍｉｌｌｉｐｏｒｅ  Ｃｏｍｐａｎｙから得られる異なった限外ろ過膜の細孔からの水銀の質量移動についての結果を示す。
【手続補正書】
【提出日】平成27年4月2日(2015.4.2)
【手続補正１】
【補正対象書類名】特許請求の範囲
【補正対象項目名】全文
【補正方法】変更
【補正の内容】
【特許請求の範囲】
【請求項１】
炭化水素、一酸化炭素、及び粒子状物質を含むディーゼルエンジンからの排気ガスを処理する触媒体であって、ディーゼル酸化触媒と担体とを有し、
ディーゼル酸化触媒は、
高表面積の耐火性金属酸化物担体を有する前記担体上に被覆された第１のウォッシュコート層と、高表面積の耐火性金属酸化物担体に担持されたプラチナ（Ｐｔ）とパラジウム（Ｐｄ）とを含む白金族金属成分と、１０００を超えるアルミナに対するシリカの比率を有する第１のゼオライト成分と、を有することを特徴とする触媒体。
【請求項２】
第１のゼオライト成分は、１２００を超えるアルミナに対するシリカの比率を有することを特徴とする請求項１に記載の触媒体。
【請求項３】
第１のゼオライト成分は、アルミナを含まないことを特徴とする請求項１に記載の触媒体。
【請求項４】
第１のウォッシュコート層は、第２のゼオライト成分を含有することを特徴とする請求項１に記載の触媒体。
【請求項５】
第１のゼオライト成分は、β、ＭＦＩ、及びＭＷＷの骨格型を有するゼオライトから選択されることを特徴とする請求項１に記載の触媒体。
【請求項６】
高表面積の耐火性金属酸化物担体は、アルミナ、シリカ、チタニア、セリア、及びジルコニア、それらの物理的混合物、それらの化合物、及び原子的にドープされた化合物の何れか１種を有することを特徴とする請求項１に記載の触媒体。
【請求項７】
第２のウォッシュコート層は、第１のウォッシュコート層上に存在し、第２のウォッシュコート層は、高表面積の耐火性金属酸化物担体を有することを特徴とする請求項１に記載の触媒体。
【請求項８】
第２ウォッシュコート層は、高表面積の耐火性金属酸化物担体上に担持された白金族金属成分を更に含むことを特徴とする請求項７に記載の触媒体。
【請求項９】
第３のウォッシュコート層は、第２のウォッシュコート層上に存在し、第３のウォッシュコート層は、高表面積の耐火性金属酸化物担体を含むことを特徴とする請求項７に記載の触媒体。
【請求項１０】
第２のウォッシュコート層若しくは第３ウォッシュコート層が、又は双方が、セオライト成分を更に含むことを特徴とする請求項９に記載の触媒体。
【請求項１１】
第１ウォッシュコート層は、酸化バリウム（ＢａＯ）、酸化マグネシウム（ＭｇＯ）、酸化ランタン（Ｌａ２Ｏ３）、及びそれらの混合物から選ばれた１種以上のアルカリ酸化物である促進剤を更に含むことを特徴とする請求項１に記載の触媒体。
【請求項１２】
担体は、フロースルー担体又はウォールフロー担体であることを特徴とする請求項１に記載の触媒体。
【請求項１３】
炭化水素、一酸化炭素、及び他の排気ガス成分を含むディーゼルエンジン排気ガス流の処理システムであって、
排気ガス処理システムは、
排気マニホールドを介してディーゼルエンジンと流体連通する排気導管、
担体がフロースルー担体又はウォールフロー担体である請求項１に記載の触媒体、
排気マニホールドと請求項１に記載の触媒体との複合材料と流体連通する、スートフィルタ、選択触媒還元（ＳＣＲ）触媒体、及びＮＯｘ吸蔵及び還元（ＮＳＲ）触媒体の１種以上を有することを特徴とするシステム。
【請求項１４】
炭化水素、一酸化炭素、及び粒子状物質を含むディーゼル排気ガス流の処理方法であって、処理方法は、
（ａ）請求項１に記載の触媒体を準備する工程、（ｂ）酸化触媒が、排気ガス中の炭化水素と一酸化炭素を酸化し、二酸化炭素と水が得られるように前記ディーゼル排気ガス流を排気ガス処理のための前記触媒体に接触させる工程、及び（ｃ）ディーゼル酸化触媒から出る排気ガスを下流側のスートフィルタ及びＮＯｘ還元触媒へ搬送する工程を有することを特徴とする処理方法。
【請求項１５】
ＮＯｘ還元触媒は、触媒スートフィルタ（ＣＳＦ）の下流側に設置された選択触媒還元（ＳＣＲ）成分を有することを特徴とする請求項１４に記載の処理方法。